【手続補正書】
【提出日】平成24年5月31日(2012.5.31)
【手続補正１】
【補正対象書類名】明細書
【補正対象項目名】００５６
【補正方法】変更
【補正の内容】
【００５６】
ｘ＝（ｈ2／Ｒ）／［１＋｛１−（１＋ｋ）（ｈ／Ｒ）2｝1/2］
＋A4ｈ4＋A6ｈ6＋A8ｈ8＋A10ｈ10
但し、ここでＲは曲率半径である。又、前述の各条件式と各実施例との関係を表−１に示す。
ＰＲは反射部材である。数値実施例２のｒ１６は設計上用いたダミー面である。バックフォーカスＢＦは最終面から像面までの距離である。
【手続補正２】
【補正対象書類名】明細書
【補正対象項目名】００６０
【補正方法】変更
【補正の内容】
【００６０】
数値実施例４
単位 mm
面データ
面番号       r        d      nd         νd       有効径
1         44.228    1.25   1.84666    23.8       24.95
2         22.500    4.19   1.59201    67.0       23.24
3       2310.573    0.08                         23.05
4         21.848    3.22   1.77250    49.6       22.12
5         85.910  (可変)                         21.52
6        220.500    0.75   1.88300    40.8       14.57
7          7.958    3.52                         11.31
8        -18.581    1.00   1.77250    49.6       11.18
9*        24.744    0.05                         11.28
10         16.939    1.69   1.94595    18.0       11.46
11      -2909.835  (可変)                         11.38
12          ∞       8.75   1.83400    37.2        7.87
13          ∞       1.20                          6.70
14        -26.638    0.50   1.48749    70.2        6.45
15        -39.154  (可変)                          6.42
16*         8.112    4.40   1.58913    61.1        8.58
17        -23.834    0.22                          7.72
18        -38.340    0.55   1.74950    35.3        7.47
19         12.652    1.73                          7.10
20(絞り)    ∞       2.59                          7.00
21*        11.294    2.95                          7.87
22        -40.238    2.81                          7.76
23         -6.981    0.55   1.74320    49.3        7.43
24         -9.851  (可変)                          7.78
25*        24.403    2.24   1.69350    53.2        9.70
26        -44.974    0.55   1.84666    23.9        9.54
27       -685.458  (可変)                          9.48
28          ∞       0.32                         21.46
29          ∞       0.30   1.49400    75.0       21.46
30          ∞       0.00                         21.46
31          ∞       0.50   1.51633    64.1       21.46
32          ∞       0.13                         21.46
像面        ∞   
非球面データ
第9面
K  =-2.09342e-001  A 4=-5.18165e-006  A 6= 1.30510e-008 
A 8= 1.58950e-008  A10=-2.21254e-010  
第16面
K  =-3.46233e-001  A 4=-4.22096e-005  A 6=-5.05679e-007 
A 8=-7.39445e-009  
第21面
K  =-4.85800e-001  A 4=-6.15558e-005  A 6= 9.22907e-007 
A 8= 2.71895e-008  A10= 2.63699e-010  
第25面
K  = 1.02828e+000  A 4= 6.47868e-006  A 6=-1.28150e-007 
A 8= 1.09553e-008  A10=-2.10989e-010  
各種データ
ズーム比      9.48 
広角     中間     望遠
焦点距離       6.73    23.07    63.78  
Fナンバー      3.10     4.37     5.71  
画角           30.0     9.57     3.48  
像高           3.88     3.88     3.88  
レンズ全長     88.8     88.8     88.8  
BF             0.13     0.13     0.13  
d 5            0.78     8.82    14.04  
d11           14.08     6.04     0.81  
d15           13.50     3.21     0.50  
d24           10.66    15.45    24.26  
d27            3.72     9.20     3.12  
入射瞳位置    20.67    54.58   120.37  
射出瞳位置   -39.46   -66.95  -183.66  
前側主点位置  26.25    69.72   162.02  
後側主点位置  -6.59   -22.94   -63.65  
ズームレンズ群データ
群  始面    焦点距離  レンズ構成長  前側主点位置  後側主点位置
1    1      29.53         8.74         1.98         -3.27
2    6      -7.89         7.02         0.72         -4.64
pr   12       ∞           8.75         2.39         -2.39
3   14    -173.21         0.50        -0.72         -1.07
4   16      18.13        15.80        -0.27        -12.65
5   25      37.99         2.79        -0.10         -1.71
28       ∞           1.12         0.42         -0.42
単レンズデータ
レンズ  始面  焦点距離
1       1    -55.56
2       2     38.35
3       4     37.11
4       6     -9.37
5       8    -13.60
6      10     17.81
7      12      0.00
8      14   -173.21
9      16     10.83
10      18    -12.63
11      21     18.08
12      23    -35.11
13      25     23.12
14      26    -56.87
15      29      0.00
16      31      0.00
【手続補正３】
【補正対象書類名】明細書
【補正対象項目名】００６２
【補正方法】変更
【補正の内容】
【００６２】
数値実施例６
単位 mm
面データ
面番号       r        d      nd         νd       有効径
1         43.277    1.25   1.84666    23.8       23.45
2         22.500    3.68   1.59201    67.0       22.40
3        331.179    0.08                         22.21
4         22.316    3.01   1.77250    49.6       21.43
5         87.317  (可変)                         20.88
6        237.841    1.00   1.84862    40.0       13.92
7*         7.366    3.22                         10.52
8        -16.992    0.75   1.77250    49.6       10.44
9         26.851    0.05                         10.55
10         16.206    1.59   1.94595    18.0       10.73
11       -893.871  (可変)                         10.64
12          ∞       8.75   1.83400    37.2        7.97
13          ∞       1.20                          6.77
14        -35.429    0.50   1.48749    70.2        6.51
15        -61.631  (可変)                          6.45
16*         7.870    3.04   1.58913    61.1        8.29
17        -32.010    0.16                          7.81
18       -161.853    0.55   1.80610    33.3        7.59
19         13.438    1.72                          7.25
20(絞り)    ∞       4.11                          7.10
21*        11.385    2.95                          7.84
22        -41.230    2.73                          7.67
23         -7.583    0.55   1.74320    49.3        7.30
24        -12.362  (可変)                          7.62
25*        22.329    2.49   1.69350    53.2        9.81
26        -45.027    0.55   1.84666    23.9        9.62
27      -10000.000  (可変)                          9.56
像面        ∞   
非球面データ
第7面
K  =-1.96634e-002  A 4= 6.95999e-006  A 6=-7.39743e-008 
A 8= 1.55845e-008  A10= 4.92660e-010  
第16面
K  =-4.12650e-001  A 4=-5.17406e-005  A 6=-7.18644e-007 
A 8=-6.23045e-010  
第21面
K  =-4.05809e-001  A 4=-5.39304e-005  A 6= 1.49263e-006 
A 8=-4.14950e-008  A10= 1.77160e-009  
第25面
K  = 7.32690e-001  A 4= 5.83938e-006  A 6=-8.36645e-007 
A 8= 3.72222e-008  A10=-5.21415e-010  
各種データ
ズーム比      9.42 
広角     中間     望遠
焦点距離       6.69    17.67    63.04  
Fナンバー      3.10     3.88     5.64  
画角          30.08    12.37     3.52  
像高           3.88     3.88     3.88  
レンズ全長    83.11    84.01    88.64  
BF             4.60    10.16     4.03  
d 5            0.74     7.15    15.28  
d11            9.84     4.32     0.81  
d15           14.28     4.87     0.50  
d24            9.74    13.60    24.11  
d27            4.60    10.16     4.03  
入射瞳位置    18.98    39.15   119.09  
射出瞳位置   -36.83   -55.88  -304.36  
前側主点位置  24.59    52.09   169.24  
後側主点位置  -2.09    -7.51   -59.01  
ズームレンズ群データ
群  始面    焦点距離  レンズ構成長  前側主点位置  後側主点位置
1    1      31.07         8.02         1.64         -3.15
2    6      -7.78         6.60         0.78         -4.25
PR   12       ∞           8.75         2.39         -2.39
3   14    -172.02         0.50        -0.46         -0.80
4   16      17.32        15.80        -0.42        -12.63
5   25      35.85         3.04        -0.17         -1.93
単レンズデータ
レンズ  始面  焦点距離
1       1    -56.92
2       2     40.60
3       4     38.04
4       6     -8.98
5       8    -13.37
6      10     16.84
7      12      0.00
8      14   -172.02
9      16     11.03
10      18    -15.37
11      21     18.29
12      23    -27.76
13      25     21.85
14      26    -53.42
【手続補正４】
【補正対象書類名】図面
【補正対象項目名】図７
【補正方法】変更
【補正の内容】
【図７】
2011013281.tif 000001